(57)【特許請求の範囲】
【請求項１】
ホーゼル部内にシャフトの先端部を挿入するシャフト挿入穴が形成され、かつ、シャフト挿入穴と連通し、内径がシャフト挿入穴の内径より小さい錘挿入穴がシャフト挿入穴の下方に形成されてなるクラブヘッドと、
外径がシャフト挿入穴の内径以下で錘挿入穴の内径より大きい大径部と外径が錘挿入穴の内径以下の小径部とが連設され、大径部の下面にテーパ面が形成されてなる錘と、
シャフトとを具備し、
クラブヘッドのシャフト挿入穴に大径部が挿入され、錘挿入穴に小径部が挿入された状態で錘がホーゼル部に固定されているとともに、錘の大径部の上端面とシャフトの先端面とが接触した状態でシャフトの先端部がホーゼル部に固定されていることを特徴とするゴルフクラブ。
【請求項２】
ホーゼル部内にシャフトの先端部を挿入するシャフト挿入穴が形成され、かつ、シャフト挿入穴と連通し、内径がシャフト挿入穴の内径より小さい錘挿入穴がシャフト挿入穴の下方に形成されてなるクラブヘッドと、
外径がシャフト挿入穴の内径以下で錘挿入穴の内径より大きい大径部と外径が錘挿入穴の内径以下の小径部とが連設され、大径部の上面にテーパ面が形成されてなる錘と、
シャフトとを具備し、
クラブヘッドのシャフト挿入穴に大径部が挿入され、錘挿入穴に小径部が挿入された状態で錘がホーゼル部に固定されているとともに、錘の大径部の上端面とシャフトの先端面とが接触した状態でシャフトの先端部がホーゼル部に固定されていることを特徴とするゴルフクラブ。
【請求項３】
ホーゼル部内にシャフトの先端部を挿入するシャフト挿入穴が形成され、かつ、シャフト挿入穴と連通し、内径がシャフト挿入穴の内径より小さい錘挿入穴がシャフト挿入穴の下方に形成されてなるクラブヘッドと、
外径がシャフト挿入穴の内径以下で錘挿入穴の内径より大きい大径部と外径が錘挿入穴の内径以下の小径部とが連設され、大径部の下面及び上面にテーパ面が形成されてなる錘と、
シャフトとを具備し、
クラブヘッドのシャフト挿入穴に大径部が挿入され、錘挿入穴に小径部が挿入された状態で錘がホーゼル部に固定されているとともに、錘の大径部の上端面とシャフトの先端面とが接触した状態でシャフトの先端部がホーゼル部に固定されていることを特徴とするゴルフクラブ。
【請求項４】
大径部と小径部との間において錘の外周面に周方向に沿って溝が形成されている請求項１〜３のいずれか１項に記載のゴルフクラブ。
【発明の詳細な説明】
【０００１】
【発明の属する技術分野】
本発明は、クラブヘッドのホーゼル部内に錘を入れて質量調整を行うゴルフクラブに関する。
【０００２】
【従来の技術】
ゴルフクラブの製造においては、クラブヘッドの質量を調整するために、クラブヘッドのホーゼル部（シャフトを固定する部分）内に質量調整用の錘を入れることがある。このような錘としては、従来、外径がシャフト外径よりやや小さい円盤状のものが多用されており、この錘をホーゼル部のシャフト挿入穴の底部に挿入し、シャフト及び錘を接着剤によってホーゼル部に固定するのが一般的である。
【０００３】
また、前記質量調整用錘の他の例としては、シャフト挿入穴の内径と略等しい外径の鍔部と、鍔部よりも小径で、ホーゼル部の挿入規制用ストッパ部を越えてクラブヘッド本体の内方へ突入するウエイト付加部と、鍔部から外方へ突設されてシャフトの穴部へ挿入される細径部とを有するものがある（実公平７−１７３３０号）。
【０００４】
【発明が解決しようとする課題】
しかし、前者の円盤状の錘は、シャフト挿入穴の底部に挿入するものであるため、厚みをあまり大きくすることができず、したがって質量をあまり大きくできないので、質量調整の範囲が小さいという欠点を有していた。また、後者の実公平７−１７３３０号の錘は、シャフト先端の中空部に細径部を挿入したときに、シャフトの中空部内面と細径部外面との間に接着剤が十分に充填されていないと、スイング時に錘に起因してびん鳴りが生じ、ゴルファーに不快感を与えるものであった。なお、びん鳴りとは、各部材の接着が不十分であるときや、接着剤が不足している場合などに部材間に隙間ができ、打撃時にビーンという様な不快音が発生する現象である。
【０００５】
本発明は、前述した事情に鑑みてなされたもので、クラブヘッドのホーゼル部内に錘を入れて質量調整を行うゴルフクラブであって、錘による質量調整の範囲が大きく、かつ、スイング時に錘に起因してびん鳴りが生じることのないゴルフクラブを提供することを目的とする。
【０００６】
【課題を解決するための手段】
本発明は、前記目的を達成するため、下記（１）〜（３）のゴルフクラブを提供する。
（１）ホーゼル部内にシャフトの先端部を挿入するシャフト挿入穴が形成され、かつ、シャフト挿入穴と連通し、内径がシャフト挿入穴の内径より小さい錘挿入穴がシャフト挿入穴の下方に形成されてなるクラブヘッドと、
外径がシャフト挿入穴の内径以下で錘挿入穴の内径より大きい大径部と外径が錘挿入穴の内径以下の小径部とが連設され、大径部の下面にテーパ面が形成されてなる錘と、
シャフトとを具備し、
クラブヘッドのシャフト挿入穴に大径部が挿入され、錘挿入穴に小径部が挿入された状態で錘がホーゼル部に固定されているとともに、錘の大径部の上端面とシャフトの先端面とが接触した状態でシャフトの先端部がホーゼル部に固定されていることを特徴とするゴルフクラブ。
（２）ホーゼル部内にシャフトの先端部を挿入するシャフト挿入穴が形成され、かつ、シャフト挿入穴と連通し、内径がシャフト挿入穴の内径より小さい錘挿入穴がシャフト挿入穴の下方に形成されてなるクラブヘッドと、
外径がシャフト挿入穴の内径以下で錘挿入穴の内径より大きい大径部と外径が錘挿入穴の内径以下の小径部とが連設され、大径部の上面にテーパ面が形成されてなる錘と、
シャフトとを具備し、
クラブヘッドのシャフト挿入穴に大径部が挿入され、錘挿入穴に小径部が挿入された状態で錘がホーゼル部に固定されているとともに、錘の大径部の上端面とシャフトの先端面とが接触した状態でシャフトの先端部がホーゼル部に固定されていることを特徴とするゴルフクラブ。
（３）ホーゼル部内にシャフトの先端部を挿入するシャフト挿入穴が形成され、かつ、シャフト挿入穴と連通し、内径がシャフト挿入穴の内径より小さい錘挿入穴がシャフト挿入穴の下方に形成されてなるクラブヘッドと、
外径がシャフト挿入穴の内径以下で錘挿入穴の内径より大きい大径部と外径が錘挿入穴の内径以下の小径部とが連設され、大径部の下面及び上面にテーパ面が形成されてなる錘と、
シャフトとを具備し、
クラブヘッドのシャフト挿入穴に大径部が挿入され、錘挿入穴に小径部が挿入された状態で錘がホーゼル部に固定されているとともに、錘の大径部の上端面とシャフトの先端面とが接触した状態でシャフトの先端部がホーゼル部に固定されていることを特徴とするゴルフクラブ。
【０００７】
本発明のゴルフクラブは、錘を大径部と小径部とで構成し、小径部を錘挿入穴に挿入するようにしたので、小径部の軸長を変化させることによって、錘全体の質量を広い範囲で変化させることができる。したがって、錘による質量調整の範囲を大きくすることができる。また、実公平７−１７３３０号の錘のように錘の一部をシャフト先端の中空部に挿入するのではなく、シャフト先端面を錘の大径部上端面に接触（直接接触又は接着剤を介して接触）させた状態でシャフトの先端部及び錘をホーゼル部に固定するので、スイング時に錘に起因してびん鳴りが生じることがない。
【０００８】
【発明の実施の形態】
以下、図面を参照して本発明をさらに詳しく説明する。図１は参考例のゴルフクラブを示す一部断面図、図２は図１のゴルフクラブの錘を示す拡大正面図、図３は本発明に係るゴルフクラブの一実施形態を示す一部断面図、図４は図３のゴルフクラブの錘を示す拡大正面図である。
【０００９】
参考例及び実施形態のゴルフクラブは、クラブヘッド２と、錘４と、シャフト６とを具備する。クラブヘッド２は、ホーゼル部８内にシャフト６の先端部を挿入するシャフト挿入穴１０が形成され、かつ、シャフト挿入穴１０と連通し、内径がシャフト挿入穴１０の内径より小さい錘挿入穴１２がシャフト挿入穴１０の下方に形成されてなるものである。シャフト挿入穴１０及び錘挿入穴１２は、同軸の円柱形をなしている。
【００１０】
錘４は、外径がシャフト挿入穴１０の内径以下で錘挿入穴１２の内径より大きい大径部１４と、外径が錘挿入穴１２の内径以下の小径部１６とが連設されてなるものである。大径部１４及び小径部１６は、同軸の略円柱形（実施形態の小径部は逆円錐台形）をなしている。
【００１１】
そして、参考例及び実施形態のゴルフクラブは、クラブヘッドのシャフト挿入穴１０に大径部１４が挿入され、錘挿入穴１２に小径部１６が挿入された状態で錘４がホーゼル部８に接着により固定されているとともに、錘４の大径部１４の上端面とシャフト６の先端面とが接触した状態でシャフト６の先端部がホーゼル部８に接着により固定されている。また、錘４の大径部１４の上端面とシャフト６の先端面も接着により固定されている。
【００１２】
参考例及び実施形態のゴルフクラブは、大径部１４と小径部１６との間において、錘４の外周面に周方向に沿って溝１８が形成されている。具体的には、小径部１６の外周面の大径部１４に隣接する部分に周方向に沿って１本の溝１８が形成されている。この溝は、錘の接着面積を増やして錘がホーゼル部から外れないようにする役割をする。また、大径部が錘挿入穴の蓋の役割をするため、溝に接着剤が入り込み錘の浮き上がりを防止する役割もある。なお、溝は大径部及び小径部の一方又は両方に設けることができる。また、溝は複数本としてもよい。
【００１３】
実施形態のゴルフクラブは、錘４の大径部１４の下面にテーパ面２０が形成されている。このテーパ面２０は、錘挿入穴１２に錘４の小径部１６を挿入するときに、錘挿入穴１２の中心軸と錘４の中心軸とを合わせて錘４の片寄りをなくす役割をしている。
【００１４】
実施形態のゴルフクラブは、錘４の大径部１４の上面にテーパ面２２が形成されており、これにより上端部が円錐形になっている。このテーパ面２２は、シャフト挿入穴１０にシャフト６の先端部を挿入するときに、錘４の中心軸（ここではシャフト挿入穴１０及び錘挿入穴１２の中心軸と同軸）とシャフト６の中心軸とを合わせてシャフトの片寄りをなくす役割をしている。これにより、シャフトが折れにくくなる。
【００１５】
次に、各部の寸法について説明する。クラブヘッドのシャフト挿入穴の内径ａは６．５〜１０．０ｍｍが好ましい。内径ａが小さすぎるとシャフト先端部を細くしなければならず、シャフトの強度上好ましくない。内径ａが大きすぎるとクラブヘッドのホーゼル部が太くなり、ヘッド全体の質量バランスが崩れ、ホーゼル部に質量が片寄ってヘッドの重心がホーゼル寄りに位置することになる。
【００１６】
クラブヘッドのシャフト挿入穴の深さｂは２２〜５５ｍｍが好ましい。すなわち、シャフト挿入穴にはシャフト先端部の少なくとも長さ２０ｍｍ以上の部分を挿入することが好ましく、またシャフト先端面とシャフト挿入穴の底部との間に錘の大径部を配置する領域を確保する必要があるため、深さｂは２２ｍｍ以上とすることが適当である。深さｂが小さすぎると、ボールの繰り返し打撃による衝撃によってヘッドからシャフトが外れる可能性が生じる。しかし、パターや比較的遅いヘッドスピードで使用するチッパーなどは、シャフト挿入穴の深さｂを２２ｍｍより小さくすることも可能である。また、深さｂを５５ｍｍ以下としたのは、シャフト挿入穴の下方に錘挿入穴を形成する領域を作るため、及び、ヘッドを金属で形成する場合には、ホーゼル部分をあまり長くすると重心位置がホーゼル寄りになってしまうためである。
【００１７】
クラブヘッドの錘挿入穴の内径ｃはシャフト挿入穴の内径ａより１．０〜５．０ｍｍ小さいことが好ましい。上記値が１．０ｍｍより小さいと加工誤差などにより錘の大径部が錘挿入穴まで入ってしまうおそれがあり、５．０ｍｍより大きいと内径ｃが小さくなりすぎ、本来の目的である質量を調整する機能が弱くなる。
【００１８】
ヘッド内部に中空部を有さないアイアン型クラブヘッドでは、図５に示したようにホーゼル部８内に錘挿入穴１２の底面２４を形成するが、この場合には錘挿入穴の深さｄは３．０〜１０．０ｍｍが好ましい。深さｄが小さすぎると質量調整機能が弱くなり、大きすぎるとヘッド材料として軟鉄材を使用した場合にホーゼル部が強度不足になって、打撃時にホーゼル部が変形する原因となる可能性がある。
【００１９】
ヘッド内部に中空部を有するウッド型クラブヘッドでは、高強度のアルミニウム合金、チタニウム合金、ステンレス鋼などの比較的強度の強い材料を使用するため、図６に示したように錘挿入穴１２をシャフト挿入孔１０の底壁２６を貫通する貫通孔にしてもよい。このように錘挿入穴１２を貫通孔とした場合には、錘挿入穴がヘッド内部の中空部と連通しているため、錘の小径部の軸長を長くすることができ、質量調整の範囲が広くなるという利点が得られる。
【００２０】
錘の大径部の外径ｅは、シャフト挿入穴の内径ａより０．１〜２．０ｍｍ小さいことが好ましい。上記値が０．１ｍｍより小さいとシャフト挿入穴の壁面と錘の大径部との間の隙間が少なくなりすぎてシャフト挿入穴に錘を挿入しにくくなり、２．０ｍｍより大きいとシャフト挿入穴の壁面と錘の大径部との間の隙間が大きくなりすぎて錘挿入穴に錘の小径部を挿入しにくくなる。
【００２１】
錘の大径部の軸長ｆは０．５〜３．０ｍｍが好ましい。軸長ｆが短すぎると大径部が薄くなりすぎて大径部の変形が起こりやすくなり、長すぎるとシャフトとホーゼル部とを固定する接着剤の量が不足しやすくなって、接着強度不足やホーゼル部内でのびん鳴り発生の原因となる。
【００２２】
錘の小径部の外径ｇは、錘挿入穴の内径ｃより０．４〜２．０ｍｍ小さいことが好ましい。上記値が０．４ｍｍより小さいと錘挿入穴に錘の小径部を挿入しにくくなり、２．０ｍｍより大きいと小径部の質量が少なくなって錘の機能が低下する。
【００２３】
錘の小径部の軸長ｈは目的とする錘質量に応じて適宜設定することができるが、通常、２．０〜１０．０ｍｍが好ましい。軸長ｈが短すぎると質量調整機能を持たなくなり、長すぎるとシャフト挿入穴のシャフトを接着する部分の長さを十分に取れなくなったり、びん鳴りの原因となるおそれが生じる。
【００２４】
錘の溝の幅ｉは０．５〜２．０ｍｍ、深さｊは０．５〜１．５ｍｍが好ましい。幅ｉがあまり細い溝は加工が難しく、幅ｉが太すぎると錘の接着面積を増やす効果が少なくなくなる。また、深さｊが浅すぎると溝の効果が少なくなり、深すぎると溝の底部まで接着剤が充填されなくなる可能性が生じる。
【００２５】
錘の大径部における下面のテーパ面のテーパ角ｋ及び上面のテーパ面のテーパ角ｌは、いずれも５°〜４０°が好ましい。テーパ角ｋ、テーパ角ｌが上記範囲を外れると、前述した作用効果が得られなくなることがある。
【００２６】
本発明のゴルフクラブにおいて、クラブヘッド、錘及びシャフトの材質に限定はない。例えば、クラブヘッドは軟鉄、ステンレス鋼、マルエージング鋼、ベリリウムカッパー、タングステン合金、チタン合金、アルミニウム合金等の１種又は複数種を用いて作製することができる。錘は、プラスチックや金属などで作製することができるが、小さい空間に配置するものであるため、比重の大きい金属、例えばステンレス鋼、銅、鉛、亜鉛、タンタルやそれらの合金が特に好ましく、中でもタングステン又はタングステン合金が好適である。タングステン又はタングステン合金で錘を作製する場合、焼結、鋳造などで作製してもよく、延出された丸棒を機械加工して作製してもよい。シャフトは、例えばスチール製シャフト、ＦＲＰ製シャフト等を用いることができる。
【００２７】
【実施例】
図６に示したようなヘッド内部に中空部を有する金属製ウッド型クラブヘッドを作製した。ただし、錘挿入穴の底面はホーゼル部内に形成した。また、錘としては図３及び図４に示した形状のものを用いた。各部の寸法等は以下の通りとした。
・クラブヘッドのシャフト挿入穴の内径ａ：８．７ｍｍ
・クラブヘッドのシャフト挿入穴の深さｂ：４２．０ｍｍ
・クラブヘッドの錘挿入穴の内径ｃ：７．２ｍｍ
・クラブヘッドの錘挿入穴の深さｄ：５．０ｍｍ
・錘の大径部の外径ｅ：８．４ｍｍ
・錘の大径部の軸長ｆ：５．０ｍｍ
・錘の小径部の外径ｇ：６．５ｍｍ
・錘の大径部の軸長ｈ：１．０ｍｍ
・錘の溝の幅ｉ：１．５ｍｍ
・錘の溝の深さｊ：０．８ｍｍ
・錘の大径部における下面のテーパ面のテーパ角ｋ：１０°
・錘の大径部における上面のテーパ面のテーパ角ｌ：１０°
・シャフト先端の外径：８．５５ｍｍ
・シャフト先端部の接着長さ：３７ｍｍ
・錘の材料：タングステンカッパー
・錘の質量：７ｇ（６８．６Ｎ）
【００２８】
上記ゴルフクラブを１０本作製し、スイング時にびん鳴りが生じるか否かを調べたが、びん鳴りが出たものは１本もなかった。また、長さ４５インチ（１１４３ｍｍ）のゴルフクラブのヘッドに質量７ｇ（６８．６Ｎ）の錘を入れることによって、スイングバランスがＣ７からＤ１．０になった。これにより、本発明によれば、小さい空間の中に錘を入れることによって、スイングバランスを４．５ポイントも上げることができることが確認された。上記クラブの内の３本を用い、実打テストで１０００発の打撃を行ったが、ホーゼル部から錘が外れた様子はなかった。
【００２９】
【発明の効果】
本発明のゴルフクラブは、錘による質量調整の範囲が大きく、かつ、スイング時に錘に起因してびん鳴りが生じることのないものである。
【図面の簡単な説明】
【図１】      参考例のゴルフクラブを示す一部断面図である。
【図２】図１のゴルフクラブの錘を示す拡大正面図である。
【図３】      本発明に係るゴルフクラブの一実施形態を示す一部断面図である。
【図４】図３のゴルフクラブの錘を示す拡大正面図である。
【図５】ヘッド内部に中空部を有さないアイアン型クラブヘッドを示す一部断面図である。
【図６】ヘッド内部に中空部を有するウッド型クラブヘッドを示す一部断面図である。
【符号の説明】
２  クラブヘッド
４  錘
６  シャフト
８  ホーゼル部
１０  シャフト挿入穴
１２  錘挿入穴
１４  大径部
１６  小径部
１８  溝
２０  テーパ面
２２  テーパ面
【図１】
0004260999.tif 000002
【図２】
0004260999.tif 000003
【図３】
0004260999.tif 000004
【図４】
0004260999.tif 000005
【図５】
0004260999.tif 000006
【図６】
0004260999.tif 000007